(57)【要約】【課題】  低耐圧スイッチング素子を使用するプラズマディスプレイパネルの駆動回路を提供し、容量が大きいキャパシターを除去して突入電流を減らす。【解決手段】  第１スイッチング素子は、パネルキャパシターのＹ電極とVs/２電圧を供給する電源（V１）の正極の間に連結され、第２スイッチング素子は、電源（V１）の正極と接地端（０）の間に連結される。第３スイッチング素子はパネルキャパシターのＹ電極と電源（V１）の負極の間に連結され、第４スイッチング素子は電源（V１）の負極と接地端（０）の間に連結される。パネルキャパシターのＹ電極にVs/２電圧が印加される間にパネルキャパシターのＸ電極には−Vs/２電圧が印加され、パネルキャパシターのＹ電極に−Vs/２電圧が印加される間にパネルキャパシターのＸ電極にはVs/２電圧が印加される。これにより、第１乃至第４スイッチング素子の耐圧をVs/２に維持することができる。【選択図】  図２
2004233963.tif 000002
【特許請求の範囲】
【請求項１】
第１電極と第２電極を備えたパネルキャパシターに駆動電圧を印加するためのプラズマディスプレイパネルの駆動装置において、
前記第１電極から第１電圧を有する第１電源の正極までの間に電気的に連結される第１スイッチング素子と、
前記第１電源の正極から第２電圧を有する第２電源までの間に電気的に連結される第２スイッチング素子と、
前記第１電極から前記第１電源の負極までの間に電気的に連結される第３スイッチング素子と、
前記第１電源の負極から前記第２電源までの間に電気的に連結される第４スイッチング素子とを含み、
前記第１及び第４スイッチング素子と前記第２及び第３スイッチング素子が交互に導通して、前記第１電極に、第３電圧として前記第１電圧から前記第２電圧を差し引いた値に相当する電圧、または、第４電圧として前記第１電圧と前記第２電圧を加え合せた値に等しい負電圧が交互に印加されることを特徴とするプラズマディスプレイパネルの駆動装置。
【請求項２】
前記第３及び第４電圧の差は前記パネルキャパシターの維持放電に必要な電圧であることを特徴とする、請求項１に記載のプラズマディスプレイパネルの駆動装置。
【請求項３】
前記パネルキャパシターの第１電極に電気的に連結されるインダクタをさらに含み、
前記インダクタと前記パネルキャパシターの共振によって前記パネルキャパシターの第１電極電圧が前記第３または第４電圧に変化することを特徴とする、請求項１に記載のプラズマディスプレイパネルの駆動装置。
【請求項４】
前記第１乃至第４スイッチング素子はボディーダイオードを有する電界効果トランジスタであることを特徴とする、請求項１に記載のプラズマディスプレイパネルの駆動装置。
【請求項５】
前記パネルキャパシターの第１電極に前記第３電圧が印加される間に前記パネルキャパシターの第２電極には前記第４電圧が印加され、前記パネルキャパシターの第１電極に前記第４電圧が印加される間に前記パネルキャパシターの第２電極には前記第３電圧が印加されることを特徴とする、請求項１に記載のプラズマディスプレイパネルの駆動装置。
【請求項６】
前記パネルキャパシターの第２電極から前記第１電圧に近似した電圧を有する第３電源の正極までの間に電気的に連結される第５スイッチング素子と、
前記第３電源の正極から、前記第２電源または前記第２電圧に近似した電圧を有する第４電源、までの間に電気的に連結される第６スイッチング素子と、
前記第２電極から前記第３電源の負極までの間に電気的に連結される第７スイッチング素子と、
前記第３電源の負極から前記第２電源までの間に電気的に連結される第８スイッチング素子とをさらに含むことを特徴とする、請求項５に記載のプラズマディスプレイパネルの駆動装置。
【請求項７】
第１電極と第２電極を備えたパネルキャパシターに駆動電圧を印加するためのプラズマディスプレイパネルの駆動装置において、
前記パネルキャパシターの第１電極と第１電圧を供給する第１電源の正極の間に電気的に連結される第１スイッチング素子と、
前記第１電極と前記第１電源の負極の間に電気的に連結される第２スイッチング素子と、
前記第１スイッチング素子が導通する場合に前記第１及び第２電圧の差に相当する第３電圧が前記第１電極に印加されるように前記第１電源の負極と第２電圧を供給する第２電源の間に形成される第１電気的経路と、
前記第２スイッチング素子が導通する場合に前記第１電圧の負の値と前記第２電圧の差に相当する第４電圧が前記第１電極に印加されるように前記第１電源の正極と前記第２電源の間に形成される第２電気的経路とを含み、
前記第１及び第２スイッチング素子が交互に導通するプラズマディスプレイパネルの駆動装置。
【請求項８】
前記第１電気的経路を形成するために前記第１電源の負極と前記第２電源の間に電気的に連結される第３スイッチング素子と、
前記第２電気的経路を形成するために前記第１電源の正極と前記第２電源の間に電気的に連結される第４スイッチング素子をさらに含むことを特徴とする、請求項７に記載のプラズマディスプレイパネルの駆動装置。
【請求項９】
前記パネルキャパシターの第１電極に前記第３電圧が印加される間に前記パネルキャパシターの第２電極には前記第４電圧が印加され、前記第１電極に前記第４電圧が印加される間に前記第２電極には前記第３電圧が印加されることを特徴とする、請求項７に記載のプラズマディスプレイパネルの駆動装置。
【請求項１０】
前記第３及び第４電圧の差は前記パネルキャパシターの維持放電に必要な電圧であることを特徴とする、請求項９に記載のプラズマディスプレイパネルの駆動装置。
【請求項１１】
前記第１電圧は前記維持放電に必要な電圧の半分に相当する電圧であり、前記第２電圧は接地電圧であることを特徴とする、請求項１０に記載のプラズマディスプレイパネルの駆動装置。
【請求項１２】
前記パネルキャパシターの第２電極と前記第１電圧を供給する第３電源の正極の間に電気的に連結される第３スイッチング素子と、
前記第２電極と前記第２電源の負極の間に電気的に連結される第４スイッチング素子と、
前記第３スイッチング素子が導通する場合に前記第３電圧が前記第２電極に印加されるように前記第３電源の負極と前記第２電源の間に形成される第３電気的経路と、
前記第４スイッチング素子が導通する場合に前記第４電圧が前記第２電極に印加されるように前記第３電源の正極と前記第２電源の間に形成される第４電気的経路とを含み、
前記第３及び第４スイッチング素子が交互に導通することを特徴とする、請求項９に記載のプラズマディスプレイパネルの駆動装置。
【請求項１３】
前記パネルキャパシターの第１電極に電気的に連結されるインダクタを含み、前記インダクタと前記パネルキャパシターの間で発生する共振を利用して前記パネルキャパシターの第１電極の電圧を変える電力回収部をさらに含むことを特徴とする、請求項７に記載のプラズマディスプレイパネルの駆動装置。
【請求項１４】
前記電力回収部は前記第１電源と前記第２電源の間の電圧差を利用して前記インダクタに電流を注入し前記インダクタに電流が流れる状態で前記共振を発生させることを特徴とする、請求項１３に記載のプラズマディスプレイパネルの駆動装置。
【請求項１５】
第１電極と第２電極を備えたパネルキャパシターに第１及び第２電圧を交互に印加しながらプラズマディスプレイパネルを駆動する方法において、
第３電圧を供給するフローティング電源の正極を前記パネルキャパシターの第１電極に電気的に連結し前記フローティング電源の負極を第４電圧を供給する第１電源に電気的に連結する第１段階と、
前記フローティング電源の負極を前記第１電極に電気的に連結し前記フローティング電源の正極を前記第１電源に電気的に連結する第２段階とを含み、
前記第３及び第４電圧の差が前記第１電圧に相当し、前記第３電圧の負の値と前記第４電圧の差が前記第２電圧に相当することを特徴とするプラズマディスプレイパネルの駆動方法。
【請求項１６】
前記第１段階は前記パネルキャパシターの第２電極に前記第２電圧を印加する段階をさらに含み、
前記第２段階は前記第２電極に前記第１電圧を印加する段階をさらに含むことを特徴とする、請求項１５に記載のプラズマディスプレイパネルの駆動方法。
【請求項１７】
前記第１及び第２電圧の差は前記パネルキャパシターの維持放電に必要な電圧であることを特徴とする、請求項１５に記載のプラズマディスプレイパネルの駆動方法。
【請求項１８】
前記パネルキャパシターの第１電極に前記第２電圧を印加する前に、前記第１電極に連結されたインダクタと前記パネルキャパシターの共振を利用して前記第１電極の電圧を変える共振段階をさらに含むことを特徴とする、請求項１５に記載のプラズマディスプレイパネルの駆動方法。
【発明の詳細な説明】
【技術分野】
【０００１】
本発明は交流型プラズマディスプレイパネル（PDP）の駆動装置及び駆動方法に関する。
【背景技術】
【０００２】
プラズマディスプレイパネルは気体放電によって生成されたプラズマを利用して文字または映像を表示する平面表示装置であって、そのサイズによって数十から数百万個以上の画素がマトリックス形態で配列されている。このようなプラズマディスプレイパネルは印加される駆動電圧波形の形態と放電セルの構造によって直流型（DC型）と交流型（AC型）に区分される。
【０００３】
一般に交流型プラズマディスプレイパネルの駆動方法は時間的な動作変化で表現すれば、リセット期間、アドレシング期間、維持放電期間、消去期間からなる。
【０００４】
リセット期間は、セルのアドレシング動作を円滑に行うために各セルの状態を初期化させる期間であり、アドレシング期間は、パネルの中で点灯されるセルと点灯されないセルを区別して、点灯されるセル（アドレシングされるセル）に壁電荷を積む動作を行う期間である。維持放電期間は、アドレシングされたセルに実際に画像を表示するための放電を行う期間で、維持放電期間になれば走査電極と維持電極に維持放電パルスが交互に印加されて維持放電が行われて映像が表示される。消去期間はセルの壁電荷を減少させて維持放電を終了させる期間である。
【０００５】
交流型プラズマディスプレイパネルはその維持放電のための走査及び維持電極が容量性負荷として作用するために、走査電極及び維持電極に対するキャパシタンスが存在するが、これを等価的にパネルキャパシター（Cp）で示す。パネルキャパシター（Cp）に維持放電パルスを印加する駆動回路として岸などにより提案された回路（日本特許第３２０１６０３号）がある。
【０００６】
前記日本特許の第１図乃至第３図に示された駆動回路では、維持放電に必要な電圧（Vs）の半分に相当する電圧（Vs/２）を供給する電源と補助キャパシターを使用して、パネルキャパシターのＹ電極にVs/２の電圧と−Vs/２の電圧を交互に印加し、対極のＸ電極には反対の電圧を印加する。詳しく説明すれば、電源からパネルキャパシターＹ電極にVs/２電圧を印加しながら、補助キャパシターにVs/２電圧を充電する。次に、電源をはずして補助キャパシターの接続を反転し、接地端とパネルキャパシターＹ電極の間に連結して−Vs/２電圧をパネルキャパシターＹ電極に印加する。
【０００７】
このように駆動することによってＹ電極に正の電圧（+Vs/２）と負の電圧（−Vs/２）を交互に印加することができ、同様にＸ電極にも正の電圧（+Vs/２）と負の電圧（−Vs/２）を交互に印加することができる。この時、Ｘ電極及びＹ電極の各々に印加する電圧（±Vs/２）は互いに位相が反転するように印加し、パネルキャパシターの両端（Ｘ，Ｙ）に維持放電に必要な電圧（Vs）が印加されるようにする。
【０００８】
このような従来の回路は−Vs/２とVs/２の間で振れるパルスを使用する場合にだけ用いることができるが、直列に連結された二つのトランジスタに電圧Vsが印加される場合、トランジスタ間の特性偏差のために各トランジスタに印加される電圧がVs/２を超える場合も発生する。そして、従来の回路では負の電圧として利用される電圧を保存するためのキャパシターの容量が大きくなければならないので、このようなキャパシターを充電するため、初期起動時に、相当な量の突入電流が流れるという問題点がある。
【特許文献１】特許第３２０１６０３号明細書
【発明の開示】
【発明が解決しようとする課題】
【０００９】
本発明が目的とする技術的課題は、プラズマディスプレイパネル用として、低耐圧スイッチング素子を用いて構成された駆動回路を提供することにある。また、本発明は、突入電流を減らすために大容量キャパシターを除去することを技術的課題とする。
【課題を解決するための手段】
【００１０】
本発明は、各々直列連結された第１スイッチング素子対の中間接続点と第２スイッチング素子対の中間接続点との間にフローティング電源が連結されるようにする。
【００１１】
本発明によるプラズマディスプレイパネル駆動装置は、第１電極及び第２電極を備えたパネルキャパシターと第１乃至第４スイッチング素子を含む。前記第１スイッチング素子は前記第１電極から第１電圧を有する第１電源の正極までの間に電気的に連結されて、前記第２スイッチング素子は前記第１電源の正極から第２電圧を有する第２電源までの間に電気的に連結される。前記第３スイッチング素子は前記第１電極から前記第１電源の負極までの間に電気的に連結され、前記第４スイッチング素子は前記第１電源の負極から前記第２電源までの間に電気的に連結される。そして前記第１及び第４スイッチング素子と前記第２及び第３スイッチング素子が交互に導通して前記パネルキャパシターの第１電極に第３及び第４電圧が交互に印加される。前記第３電圧は前記第１電圧 から前記第２電圧を差し引いた値に相当する電圧であり、前記第４電圧は前記第１電圧と前記第２電圧を加え合せた値に等しい負電圧に相当する電圧である。なお、前記第１または第３スイッチング素子が導通から遮断に変化する時には、両スイッチング素子が同時に遮断される期間を有することが望ましい。また、前記第２または第４スイッチング素子が導通から遮断に変化する時にも、両スイッチング素子が同時に遮断される期間を有することが望ましい。
【００１２】
この時、前記第３及び第４電圧の差は前記パネルキャパシターの維持放電に必要な電圧であるのが好ましい。そして前記パネルキャパシターの第１電極に前記第３電圧が印加される間に前記パネルキャパシターの第２電極には前記第４電圧が印加され、前記パネルキャパシターの第１電極に前記第４電圧が印加される間に前記パネルキャパシターの第２電極には前記第３電圧が印加されるのが好ましい。
【００１３】
本発明の他の特徴によるプラズマディスプレイパネル駆動装置は第１及び第２スイッチング素子を含む。第１スイッチング素子はパネルキャパシターの第１電極と第１電圧を供給する第１電源の正極の間に電気的に連結され、第２スイッチング素子は第１電極と第１電源の負極の間に電気的に連結される。第１スイッチング素子が導通する場合に第１電源の負極と第２電圧を供給する第２電源の間に第１電気的経路が形成され第１及び第２電圧の差に相当する第３電圧が第１電極に印加される。そして第２スイッチング素子が導通する場合に第１電源の正極と第２電源の間に第２電気的経路が形成されて第１電圧の負の値と第２電圧の差に相当する第４電圧が第１電極に印加される。この時、第１及び第２スイッチング素子は交互に導通する。
【００１４】
そしてパネルキャパシターの第１電極に第３電圧が印加される間にパネルキャパシターの第２電極には第４電圧が印加され、第１電極に第４電圧が印加される間に第２電極には第３電圧が印加されるのが好ましい。第３及び第４電圧の差はパネルキャパシターの維持放電に必要な電圧であるのがが良い。また、第１電圧は維持放電に必要な電圧の半分に相当する電圧であり、第２電圧は接地電圧であるのが好ましい。
【００１５】
そして、この駆動装置はパネルキャパシターの第１電極に電気的に連結されるインダクタを含む電力回収部をさらに含むことができる。電力回収部はインダクタとパネルキャパシターの間で発生する共振を利用してパネルキャパシターの第１電極の電圧を変える。この電力回収部は第１電源と前記第２電源の間の電圧差を利用してインダクタに電流を注入した後、インダクタに電流が流れる状態で共振を発生させることができる。
【００１６】
本発明によると、第１電極と第２電極を備えたパネルキャパシターに第１及び第２電圧を交互に印加しながらプラズマディスプレイパネルを駆動する方法が提供される。この方法によれば、まず、第３電圧を供給するフローティング電源の正極をパネルキャパシターの第１電極に電気的に連結しフローティング電源の負極を第４電圧を供給する第１電源に電気的に連結する。次に、フローティング電源の負極を第１電極に電気的に連結しフローティング電源の正極を第１電源に電気的に連結する。この時、第３及び第４電圧の差が第１電圧に相当し第３電圧の負の値と第４電圧の差が第２電圧に相当する。
【００１７】
そして、パネルキャパシターの第１電極に第１電圧が印加される間にパネルキャパシターの第２電極には第２電圧が印加され、第１電極に第２電圧が印加される間に第２電極には第１電圧が印加されるのが好ましい。
【発明の効果】
【００１８】
本発明は、スイッチング素子の耐圧を維持放電に必要な電極間電圧（Vs）の半分にできるので低耐圧スイッチング素子を用いることができ、これにより生産単価を低減できる。また、外部キャパシターに充電された電圧を使用してパネルキャパシターの端子電圧を変える場合に発生の危険がある突入電流を軽減することができる。また、駆動回路に印加される電源を変えることによって維持放電電圧パルスの波形に関係なく本発明による駆動回路を適用することができる。
【発明を実施するための最良の形態】
【００１９】
以下、添付した図面を参照して本発明の実施例について本発明の属する技術分野における通常の知識を有する者が容易に実施できるように詳細に説明する。しかし、本発明は多様な相異なる形態に実現することができ、ここで説明する実施例に限定されない。
【００２０】
図面で本発明を明確に説明するために説明と関係ない部分は省略した。明細書全体にかけて類似な部分については同一な図面符号を付けた。ある部分が他の部分と連結されているという時、これは直接的に連結されている場合だけでなく、その中間に他の素子を隔てて連結されている場合も含む。
【００２１】
次に本発明の実施例によるプラズマディスプレイパネルの駆動装置及び駆動方法について図面を参照して詳細に説明する。
【００２２】
まず、図１を参照して本発明の実施例によるプラズマディスプレイパネルについて説明する。
【００２３】
図１は本発明の実施例によるプラズマディスプレイパネルの概略的な平面図である。
【００２４】
図１に示すように、本発明の実施例によるプラズマディスプレイパネルはプラズマパネル１００、アドレス駆動部２００、走査・維持駆動部３００及び制御部４００を含む。
【００２５】
プラズマパネル１００は縦方向に伸びている複数のアドレス電極（A１-Am）と横方向に伸びている複数の走査電極（以下、"Ｙ電極"と言う）（Y１-Yn）及び維持電極（以下、"Ｘ電極"と言う）（X１-Xn）を含む。アドレス駆動部２００は制御部４００からアドレス駆動制御信号を受信して表示しようとする放電セルを選択するための表示データ信号を各アドレス電極（A１-Am）に印加する。走査・維持駆動部３００は制御部４００から維持放電信号を受信してＹ電極（Y１-Yn）とＸ電極（X１-Xn）に維持放電電圧を交互に入力することによって選択された放電セルに対する維持放電を行なう。制御部４００は外部から映像信号を受信してアドレス駆動制御信号と維持放電信号を生成し各々アドレス駆動部２００と走査・維持駆動部３００に印加する。
【実施例１】
【００２６】
以下、図２乃至図４ｂを参照して本発明の第１実施例による走査・維持駆動部３００の駆動回路について説明する。
【００２７】
図２は本発明の第１実施例によるプラズマディスプレイパネルの駆動回路の概略的な回路図である。図３は本発明の第１実施例による駆動回路の動作タイミングを示すタイミング図であり、図４ａ及び図４ｂは本発明の第１実施例による駆動回路で各モードの電流経路を示す図面である。
【００２８】
図２に示したように、本発明の第１実施例による駆動回路はＹ電極駆動部３１０及びＸ電極駆動部３２０を含む。Ｙ電極駆動部３１０はパネルキャパシター（Cp）のＹ電極に連結されていて４個のスイッチング素子（Ys、Yg、Yl、Yh）とVs/２電圧を有するフローティング電源（V１）を含む。Vs/２電圧はパネルの維持放電に必要な電圧である維持放電電圧（Vs）の半分に相当する電圧である。同様にＸ電極駆動部３２０はパネルキャパシター（Cp）のＸ電極に連結されていて４個のスイッチング素子（Xs、Xg、Xl、Xh）とVs/２電圧を有するフローティング電源（V２）を含む。フローティング電源を実現する方法としては、キャパシターとスイッチング素子の組み合わせ、または、３巻線変圧器と整流回路を用いる方法がある。
【００２９】
スイッチング素子（Ys、Yl）はパネルキャパシター（Cp）のＹ電極と接地端（０）の間に直列に連結されており、スイッチング素子（Yg、Yh）はパネルキャパシター（Cp）のＹ電極と接地端（０）の間に直列に連結されている。そして電源（V１）はスイッチング素子（Ys、Yl）の接続点とスイッチング素子（Yg、Yh）の接続点の間に連結されており、電源（V１）の高電位側がスイッチング素子（Ys、Yl）の接続点に連結されている。
【００３０】
同様にスイッチング素子（Xs、Xl）はパネルキャパシター（Cp）のＸ電極と接地端（０）の間に直列に連結されており、スイッチング素子（Xg、Xh）はパネルキャパシター（Cp）のＸ電極と接地端（０）の間に直列に連結されている。そして電源（V２）はスイッチング素子（Xs、Xl）の接続点とスイッチング素子（Xg、Xh）の接続点の間に連結されており、電源（V２）の高電位側がスイッチング素子（Xs、Xl）の接続点に連結されている。
【００３１】
図２ではスイッチング素子（Ys、Yh、Yl、Yg、Xs、Xh、Xl、Xg）をMOSFETで表示したが、これに限定されず、同一または類似な機能を行うのであれば、他のスイッチング素子を使用しても関係ない。そしてこのようなスイッチング素子はボディーダイオードを有するのが好ましい。
【００３２】
次に図３、図４ａ及び図４ｂを参照して本発明の第１実施例による駆動回路の駆動方法を説明する。
【００３３】
まず、図３左側に示したようにモード１（M１）ではスイッチング素子（Xs、Xh、Yg、Yl）が、ほぼ同時に、遮断された後に、スイッチング素子（Ys、Yh、Xg、Xl）が、ほぼ同時に、導通する。
【００３４】
以下、図４ａに示したように接地端（０）、スイッチング素子（Yh）、電源（V１）、スイッチング素子（Ys）、パネルキャパシター（Cp）、スイッチング素子（Xg）、電源（V２）、スイッチング素子（Xl）及び接地端（０）の経路によってパネルキャパシター（Cp）のＹ及びＸ電極に各々Vs/２及び−Vs/２電圧が印加される。したがって、パネルキャパシター（Cp）のＹ及びＸ電極電圧（Vy、Vx）は各々Vs/２及び−Vs/２になってパネルキャパシター（Cp）の両端に維持放電電圧（Vs）が印加される。
【００３５】
この時、遮断されたスイッチング素子（Yl、Yg）の各ソース・ドレイン間には電源（V１）が連結されるのでスイッチング素子（Yl、Yg）の両端電圧は各々Vs/２にクランプされる。同様に遮断されたスイッチング素子（Xs、Xh）の両端には電源（V２）が連結されるのでスイッチング素子（Xs、Xh）の両端電圧は各々Vs/２にクランプされる。
【００３６】
次に、図３に示したようにモード２（M２）ではスイッチング素子（Ys、Yh、Xg、Xl）が、ほぼ同時に、遮断された後に、スイッチング素子（Xs、Xh、Yg、Yl）が、ほぼ同時に、導通する。
【００３７】
以下、図４ｂに示したように接地端（０）、スイッチング素子（Xh）、電源（V２）、スイッチング素子（Xs）、パネルキャパシター（Cp）、スイッチング素子（Yg）、電源（V１）、スイッチング素子（Yl）及び接地端（０）の経路によってパネルキャパシター（Cp）のＹ及びＸ電極には各々−Vs/２及びVs/２電圧が印加される。したがって、パネルキャパシター（Cp）のＹ及びＸ電極電圧（Vy、Vx）は各々−Vs/２及びVs/２になってパネルキャパシター（Cp）の両端に維持放電電圧（Vs）が印加される。
【００３８】
この時、モード１（M１）のように遮断されたスイッチング素子（Ys、Yh）の両端には電源（V１）が連結されるのでスイッチング素子（Ys、Yh）の両端電圧は各々Vs/２にクランプされ、遮断されたスイッチング素子（Xl、Xg）の両端には電源（V２）が連結されるのでスイッチング素子（Xl、Xg）の両端電圧は各々Vs/２でクランプされる。
【００３９】
本発明の第１実施例によれば、パネルキャパシター（Cp）の両端に維持放電電圧（Vs）が印加される間にフローティング電源（V１、V２）によってスイッチング素子（Ys、Yh、Xl、Xg）及びスイッチング素子（Yl、Yg、Xs、Xh）の両端電圧を各々Vs/２にクランプすることができる。したがって、スイッチング素子（Ys、Yh、Yl、Yg、Xs、Xh、Xl、Xg）として低い耐圧のスイッチング素子を用いることができる。また、パネルキャパシター（Cp）のＹまたはＸ電極に負の電圧（−Vs/２）を供給するためのキャパシターを使用しないので、従来技術のように初期起動時大きい突入電流が発生しない。
【００４０】
この時、維持放電のための波形をパネルキャパシター（Cp）に印加するためには、パネルキャパシター（Cp）のキャパシタンス成分のために放電のための電力以外に無効電力が必要である。このような無効電力を回収して再使用する回路を電力回収回路という。次に、本発明の第１実施例による駆動回路に電力回収回路を追加した実施例について図５、図６、図７ａ乃至図７ｈを参照して詳しく説明する。
【実施例２】
【００４１】
図５は本発明の第２実施例によるプラズマディスプレイパネルの駆動回路の概略的な回路図である。図６は本発明の第２実施例による駆動回路の動作タイミングを示すタイミング図であり、図７ａ乃至図７ｈは本発明の第２実施例による駆動回路で各モードの電流経路を示す図面である。
【００４２】
図５に示したように、本発明の第２実施例による駆動回路は第１実施例による駆動回路に、破線で囲んだＹ及びＸ電極電力回収部３３０、３４０が追加形成される。
【００４３】
Ｙ電極電力回収部３３０はインダクタ（L１）及びスイッチング素子（Yr、Yf）を含む。インダクタ（L１）はＹ電極駆動部３１０のスイッチング素子（Ys、Yg）の接続点、つまり、パネルキャパシター（Cp）のＹ電極に連結される。スイッチング素子（Yr、Yf）はインダクタ（L１）と接地端（０）の間に並列に連結されている。Ｙ電極電力回収部３３０はスイッチング素子（Yr、Yf）とインダクタ（L１）の間に各々直列に挿入連結されるダイオード（D１、D２）をさらに含むことができる。ダイオード（D１、D２）は各々スイッチング素子（Yr、Yf）のボディーダイオードによって生じ得る電流経路を遮断する。
【００４４】
同様にＸ電極電力回収部３４０はインダクタ（L２）及びスイッチング素子（Xr、Xf）を含み、また、ダイオード（D３、D４）をさらに含むことができる。Ｘ電極電力回収部３４０の構造についてはＹ電極電力回収部３３０の構造と同一であるので説明を省略する。そして、Ｙ及びＸ電極電力回収部３３０、３４０のスイッチング素子（Yr、Yf、Xr、Xf）はボディーダイオードを有するMOSFETなどを用いることができる。
【００４５】
次に、図６、図７ａ乃至図７ｈを参照して、本発明の第２実施例による駆動回路の時系列的動作変化について説明する。ここで、動作変化は８個のモード（M１−M８）で一巡し、全ての変化はスイッチング素子の操作によって生じる。以下でＬＣ共振と称している現象は連続的発振ではなく、スイッチング素子（Yr、Yf、Xr、Xf）の導通時に生じるインダクタ（L１、L２）とパネルキャパシター（Cp）の組み合わせによる電圧及び電流の過渡的変化現象である。
【００４６】
本発明の第２実施例ではモード１（M１）が始まる前にスイッチング素子（Ys、Yh、Xg、Xl）が導通して、パネルキャパシター（Cp）のＹ及びＸ電極電圧（Vy、Vx）は各々Vs/２及び−Vs/２に維持されているとする。そしてインダクタ（L１、L２）のインダクタンスはＬと仮定する。
【００４７】
図６及び図７ａに示すように、モード１（M１）では導通したスイッチング素子（Ys、Yh）及びスイッチング素子（Xl、Xg）によってパネルキャパシター（Cp）のＹ及びＸ電極電圧（Vy、Vx）は各々Vs/２及び−Vs/２に継続して維持される。また、第１実施例のモード１（M１）で説明したように、フローティング電源（V１、V２）によってスイッチング素子（Yl、Yg、Xs、Xh）の両端電圧は各々Vs/２にクランプされる。そして、スイッチング素子（Yf、Xr）が導通しているので、接地端（０）、スイッチング素子（Yh）、電源（V１）、スイッチング素子（Ys）、インダクタ（L１）、スイッチング素子（Yf）及び接地端（０）への経路及び接地端（０）、スイッチング素子（Xr）、インダクタ（L２）、スイッチング素子（Xg）、電源（V２）、スイッチング素子（Xl）及び接地端（０）への経路が形成される。二つの経路で形成される電圧差によってインダクタ（L１、L２）に電流が注入され、インダクタ（L１、L２）に流れる電流（IL１、IL２）の大きさは各々Vs/２Ｌの傾きで線形的に増加する。
【００４８】
次に、モード２（M２）ではスイッチング素子（Ys、Yh、Xg、Xl）が遮断されて、図７ｂに示すようにスイッチング素子（Xr）、インダクタ（L２）、パネルキャパシター（Cp）、インダクタ（L１）及びスイッチング素子（Yf）に電流経路が形成される。したがって、インダクタ（L１、L２）とパネルキャパシター（Cp）によるＬＣ共振電流が流れ、この共振電流によってパネルキャパシター（Cp）のＹ電極電圧（Vy）は下降しＸ電極電圧（Vx）は増加する。これら電圧（Vy、Vx）は各々スイッチング素子（Yl、Yg）及びスイッチング素子（Xs、Xh）のボディーダイオードによって−Vs/２及びVs/２を越えない。
【００４９】
そして、モード２（M２）ではモード１（M１）でインダクタ（L１、L２）に電流が注入された状態でＬＣ共振が発生するので、回路に寄生成分がある場合にもＹ及びＸ電極電圧（Vy、Vx）を各々−Vs/２及びVs/２まで変えることができ、また、切換速度を急速にすることができる。
【００５０】
モード３（M３）ではスイッチング素子（Xs、Xh、Yg、Yl）が導通し、図７ｃに示すようにパネルキャパシター（Cp）のＹ及びＸ電極電圧（Vy、Vx）が各々−Vs/２及びVs/２に維持される。また、インダクタ（L１）に流れた電流（IL１）はスイッチング素子（Yl）のボディーダイオード、電源（V１）、スイッチング素子（Yg）のボディーダイオード、インダクタ（L１）及びスイッチング素子（Yf）で形成される経路を通じて回収され、インダクタ（L２）に流れた電流（IL２）はスイッチング素子（Xr）、インダクタ（L２）、スイッチング素子（Xs）のボディーダイオード、電源（V２）及びスイッチング素子（Xh）のボディーダイオードで形成される経路を通じて回収される。
【００５１】
モード４（M４）ではインダクタ（L１、L２）に流れる電流（IL１、IL２）が０Ａになった時、スイッチング素子（Yf、Xr）が遮断される。そしてスイッチング素子（Yl、Yg、Xs、Xh）は継続して導通しているので図７ｄに示すようにパネルキャパシター（Cp）のＹ及びＸ電極電圧（Vy、Vx）は各々−Vs/２及びVs/２に継続して維持される。
【００５２】
次に、モード５（M５）ではパネルキャパシター（Cp）のＹ及びＸ電極電圧（Vy、Vx）を各々−Vs/２及びVs/２に維持しながらインダクタ（L１、L２）に電流を注入する。詳しく説明すれば、スイッチング素子（Yr、Xf）が導通して図７ｅに示すように接地端（０）、スイッチング素子（Yr）、インダクタ（L１）、スイッチング素子（Yg）、電源（V１）、スイッチング素子（Yl）及び接地端（０）への経路と接地端（０）、スイッチング素子（Xh）、電源（V２）、スイッチング素子（Xs）、インダクタ（L２）、スイッチング素子（Xf）及び接地端（０）への経路が形成される。二つの経路で形成される電圧差よりインダクタ（L１、L２）に流れる電流（IL１、IL２）はVs/２Ｌの傾きで線形的に増加する。
【００５３】
そして、モード３乃至５（M３−M５）ではパネルキャパシター（Cp）のＹ及びＸ電極電圧（Vy、Vx）が各々−Vs/２及びVs/２に維持された状態でスイッチング素子（Ys、Yh、Xl、Xg）が遮断されているので、第１実施例のモード２で説明したようにフローティング電源（V１、V２）によってスイッチング素子（Ys、Yh、Xl、Xg）の両端電圧は各々Vs/２でクランプされる。
【００５４】
モード５（M５）でインダクタ（L１、L２）に電流を注入した後、モード６（M６）ではスイッチング素子（Xs、Xh、Yl、Yg）が遮断される。その後、図７ｆに示した電流経路を通じてインダクタ（L１、L２）とパネルキャパシター（Cp）の間にＬＣ共振が発生する。この共振電流によってパネルキャパシター（Cp）のＹ電極電圧（Vy）は増加してＸ電極電圧（Vx）は減少し、これら電圧は各々スイッチング素子（Ys、Yh）及びスイッチング素子（Xl、Xg）のボディーダイオードによってVs/２及び−Vs/２を越えない。モード６（M６）でもモード２（M２）のようにインダクタ（L１、L２）に電流が注入された状態で共振が発生する。
【００５５】
モード７（M７）ではスイッチング素子（Ys、Yh、Xl、Xg）が導通し、図７ｇに示した経路を通じてパネルキャパシター（Cp）のＹ及びＸ電極電圧（Vy、Vx）は各々Vs/２及び−Vs/２に維持される。この時、インダクタ（L１）に流れた電流（IL１）はスイッチング素子（Yr）、インダクタ（L１）、スイッチング素子（Ys）のボディーダイオード、電源（V１）及びスイッチング素子（Yh）のボディーダイオードで形成される経路を通じて回収され、インダクタ（L２）に流れた電流（IL２）はスイッチング素子（Xl）のボディーダイオード、電源（V２）、スイッチング素子（Xg）のボディーダイオード、インダクタ（L２）及びスイッチング素子（Xf）で形成される経路を通じて回収される。
【００５６】
次に、モード８（M８）ではインダクタ（L１、L２）に流れる電流（IL１、IL２）が０Ａになった時、スイッチング素子（Yr、Xf）が遮断される。そして、スイッチング素子（Ys、Yh、Xl、Xg）は導通しているので図７ｈに示したようにパネルキャパシター（Cp）のＹ及びＸ電極電圧（Vy、Vx）は各々Vs/２及び−Vs/２に継続して維持される。また、モード７及び８（M７、M８）ではモード１（M１）で説明したようにフローティング電源（V１、V２）によってスイッチング素子（Yl、Yg、Xs、Xh）の両端電圧が各々Vs/２でクランプされる。
【００５７】
次に、モード１乃至モード８のサイクルを継続的に繰り返してVs/２及び−Vs/２の間をスイングするＹ及びＸ電極電圧（Vy、Vx）を生成することにより、Ｘ電極とＹ電極間の電位差を維持放電電圧（Vs）にすることができる。
【００５８】
本発明の第２実施例ではモード１及び５（M１、M５）の過程を通じて、まず、インダクタ（L１、L２）に電流を注入した後、共振を発生させたが、モード１及び５（M１、M５）の過程を省略して直ちに共振を発生させることもできる。また、このような電力回収回路以外に他の変形された電力回収回路を使用してもよい。
【００５９】
そして、図２では接地端（０）が供給する電圧を０Ｖにしたが、接地端（０）の代りに電圧（Vs−２Vh）/２を供給する負電源（V３）を使用してもよい。つまり、このようにすれば、図４ａではパネルキャパシター（Cp）のＹ電極には電源（V１）から電源（V３）の電圧を差し引いた電圧Ｖｈが供給され、Ｘ電極には逆方向に連結された電源（V２）と電源（V３）の電圧差によって（Vh−Vs）電圧が供給される。同様に、図４ｂではパネルキャパシター（Cp）のＹ電極には（Ｖｈ−Vs）電圧が供給されＸ電極にはＶｈ電圧が供給される。このようにすれば、パネルキャパシター（Cp）の両端の電圧差をVsとして維持放電を起こすことができる。特に、電源（V３）が供給する電圧をVs/２とすれば、パネルキャパシター（Cp）のＹ及びＸ電極電圧（Vy、Vx）が０ＶとVsの間をスイングするようにすることができる。
【００６０】
以上、本発明の好ましい実施例について詳細に説明したが、本発明の権利範囲はこれに限定されず、請求範囲で定義している本発明の基本概念を利用した当業者の多様な変形及び改良形態もまた本発明の権利範囲に属する。
【図面の簡単な説明】
【００６１】
【図１】本発明の実施例によるプラズマディスプレイパネルの概略的な平面図である。
【図２】本発明の第１実施例によるプラズマディスプレイパネルの駆動回路の概略的な回路図である。
【図３】本発明の第１実施例による駆動回路の動作タイミングを示すタイミング図である。
【図４Ａ】本発明の第１実施例による駆動回路で各モードの電流経路を示す図面である。
【図４Ｂ】本発明の第１実施例による駆動回路で各モードの電流経路を示す図面である。
【図５】本発明の第２実施例によるプラズマディスプレイパネルの駆動回路の概略的な回路図である。
【図６】本発明の第２実施例による駆動回路の動作タイミングを示すタイミング図である。
【図７Ａ】本発明の第２実施例による駆動回路で各モードの電流経路を示す図面である。
【図７Ｂ】本発明の第２実施例による駆動回路で各モードの電流経路を示す図面である。
【図７Ｃ】本発明の第２実施例による駆動回路で各モードの電流経路を示す図面である。
【図７Ｄ】本発明の第２実施例による駆動回路で各モードの電流経路を示す図面である。
【図７Ｅ】本発明の第２実施例による駆動回路で各モードの電流経路を示す図面である。
【図７Ｆ】本発明の第２実施例による駆動回路で各モードの電流経路を示す図面である。
【図７Ｇ】本発明の第２実施例による駆動回路で各モードの電流経路を示す図面である。
【図７Ｈ】本発明の第２実施例による駆動回路で各モードの電流経路を示す図面である。
【符号の説明】
【００６２】
１００：プラズマパネル
２００：アドレス駆動部
３００：走査・維持駆動部
３１０：Y電極駆動部
３２０：X電極駆動部
３３０：Y電極電力回収部
３４０：X電極電力回収部
４００：制御部
A１−Am：アドレス電極
Cp：パネルキャパシター
D１、D２、D３、D４：ダイオード
IL１、IL２：インダクタに流れる電流
L１、L２：インダクタ
O：接地端
X１−Xn：X電極
Xs、Xg、Xf、Xl、Xh、Yg、Yh、Yl、Yg、Yr、Ys：スイッチング素子
Vx：X電極電圧
Vy：Y電極電圧
Y１−Yn：Y電極
V１、V２：フローティング電源
【図１】
2004233963.tif 000003
【図２】
2004233963.tif 000004
【図３】
2004233963.tif 000005
【図４Ａ】
2004233963.tif 000006
【図４Ｂ】
2004233963.tif 000007
【図５】
2004233963.tif 000008
【図６】
2004233963.tif 000009
【図７Ａ】
2004233963.tif 000010
【図７Ｂ】
2004233963.tif 000011
【図７Ｃ】
2004233963.tif 000012
【図７Ｄ】
2004233963.tif 000013
【図７Ｅ】
2004233963.tif 000014
【図７Ｆ】
2004233963.tif 000015
【図７Ｇ】
2004233963.tif 000016
【図７Ｈ】
2004233963.tif 000017